【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
光路長が最短にされた沈胴状態と前記沈胴状態より光路長が長くされた撮影状態との間で伸縮可能とされ、
光軸回り方向へ回転される第１の鏡筒と、
前記第１の鏡筒を光軸回り方向へ回転可能に支持すると共に光軸方向へ移動可能に支持する第２の鏡筒とを備え、
前記第１の鏡筒と前記第２の鏡筒は一方にカムフォロアが設けられ他方に前記カムフォロアが摺動自在に係合されるカム溝が形成され、
前記第１の鏡筒が光軸回り方向へ回転されたときに前記カムフォロアが前記カム溝を摺動されることにより前記第１の鏡筒が前記第２の鏡筒に対して光軸方向へ移動可能とされ、
前記カム溝は光軸に対してそれぞれ傾斜された第１の摺動部と第２の摺動部を有すると共に前記第１の摺動部の光軸に対する傾斜角度が前記第２の摺動部の光軸に対する傾斜角度より小さくされ、
前記沈胴状態から前記撮影状態に遷移されるときに前記カムフォロアが前記第１の摺動部を摺動されて前記第１の鏡筒が前記第２の鏡筒に対して繰り出され、
前記撮影状態から前記沈胴状態に遷移されるときに前記カムフォロアが前記第２の摺動部を摺動されて前記第１の鏡筒が前記第２の鏡筒に対して繰り込まれる
レンズ鏡筒。
【請求項２】
前記第１の鏡筒がアクチュエーターによって光軸回り方向へ回転される
請求項１に記載のレンズ鏡筒。
【請求項３】
前記第１の鏡筒を前記第２の鏡筒に対して繰り出す方向へ付勢する付勢部が設けられた
請求項１又は請求項２に記載のレンズ鏡筒。
【請求項４】
前記付勢部としてバネ部材が用いられた
請求項３に記載のレンズ鏡筒。
【請求項５】
前記付勢部としてマグネットが用いられた
請求項３に記載のレンズ鏡筒。
【請求項６】
前記カム溝に、光軸に直交する方向へ延び前記撮影状態において前記カムフォロアが係合される撮影状態形成部が形成され、
前記撮影状態形成部の中間部に前記第１の摺動部との交点が形成され、
前記撮影状態形成部の一端部に前記第２の摺動部との交点が形成された
請求項１乃至請求項５のいずれかに記載のレンズ鏡筒。
【請求項７】
前記カム溝に、光軸に直交する方向へ延び前記沈胴状態において前記カムフォロアが係合される沈胴状態形成部が形成され、
前記沈胴状態形成部の中間部に前記第２の摺動部との交点が形成され、
前記沈胴状態形成部の一端部に前記第１の摺動部との交点が形成された
請求項１乃至請求項６のいずれかに記載のレンズ鏡筒。
【請求項８】
前記カム溝に、光軸に直交する方向へ延び前記撮影状態において前記カムフォロアが係合される撮影状態形成部が形成され、
前記撮影状態形成部の中間部に前記第１の摺動部との交点が形成され、
前記撮影状態形成部の一端部に前記第２の摺動部との交点が形成され、
前記撮影状態形成部の底面における前記第１の摺動部との交点を横切る位置に溝状の案内部が形成され、
前記カムフォロアに前記カム溝の深さ方向へ移動可能とされた被案内部が設けられ、
前記カムフォロアが前記撮影状態形成部を前記第２の摺動部へ向けて摺動されるときに前記被案内部が前記案内部に挿入されて摺動される
請求項１乃至請求項７のいずれかに記載のレンズ鏡筒。
【請求項９】
前記被案内部を前記カム溝の底面に押し付ける方向へ付勢する押付バネが設けられた
請求項８に記載のレンズ鏡筒。
【請求項１０】
前記カム溝に、光軸に直交する方向へ延び前記沈胴状態において前記カムフォロアが係合される沈胴状態形成部が形成され、
前記沈胴状態形成部の中間部に前記第２の摺動部との交点が形成され、
前記沈胴状態形成部の一端部に前記第１の摺動部との交点が形成され、
前記沈胴状態形成部の底面における前記第２の摺動部との交点を横切る位置に溝状の案内部が形成され、
前記カムフォロアに前記カム溝の深さ方向へ移動可能とされた被案内部が設けられ、
前記カムフォロアが前記沈胴状態形成部を前記第１の摺動部へ向けて摺動されるときに前記被案内部が前記案内部に挿入されて摺動される
請求項１乃至請求項９のいずれかに記載のレンズ鏡筒。
【請求項１１】
前記被案内部を前記カム溝の底面に押し付ける方向へ付勢する押付バネが設けられた
請求項１０に記載のレンズ鏡筒。
【請求項１２】
内部に撮影光学系が配置されたレンズ鏡筒と前記撮影光学系を介して取り込まれた光学像を電気的信号に変換する撮像素子とを備え、
前記レンズ鏡筒は、
光路長が最短にされた沈胴状態と前記沈胴状態より光路長が長くされた撮影状態との間で伸縮可能とされ、
光軸回り方向へ回転される第１の鏡筒と、
前記第１の鏡筒を光軸回り方向へ回転可能に支持すると共に光軸方向へ移動可能に支持する第２の鏡筒とを備え、
前記第１の鏡筒と前記第２の鏡筒は一方にカムフォロアが設けられ他方に前記カムフォロアが摺動自在に係合されるカム溝が形成され、
前記第１の鏡筒が光軸回り方向へ回転されたときに前記カムフォロアが前記カム溝を摺動されることにより前記第１の鏡筒が前記第２の鏡筒に対して光軸方向へ移動可能とされ、
前記カム溝は光軸に対してそれぞれ傾斜された第１の摺動部と第２の摺動部を有すると共に前記第１の摺動部の光軸に対する傾斜角度が前記第２の摺動部の光軸に対する傾斜角度より小さくされ、
前記沈胴状態から前記撮影状態に遷移されるときに前記カムフォロアが前記第１の摺動部を摺動されて前記第１の鏡筒が前記第２の鏡筒に対して繰り出され、
前記撮影状態から前記沈胴状態に遷移されるときに前記カムフォロアが前記第２の摺動部を摺動されて前記第１の鏡筒が前記第２の鏡筒に対して繰り込まれる
撮像装置。
【手続補正２】
【補正対象書類名】明細書
【補正対象項目名】００１３
【補正方法】変更
【補正の内容】
【００１３】
第１に、本技術に係るレンズ鏡筒は、光路長が最短にされた沈胴状態と前記沈胴状態より光路長が長くされた撮影状態との間で伸縮可能とされ、光軸回り方向へ回転される第１の鏡筒と、前記第１の鏡筒を光軸回り方向へ回転可能に支持すると共に光軸方向へ移動可能に支持する第２の鏡筒とを備え、前記第１の鏡筒と前記第２の鏡筒は一方にカムフォロアが設けられ他方に前記カムフォロアが摺動自在に係合されるカム溝が形成され、前記第１の鏡筒が光軸回り方向へ回転されたときに前記カムフォロアが前記カム溝を摺動されることにより前記第１の鏡筒が前記第２の鏡筒に対して光軸方向へ移動可能とされ、前記カム溝は光軸に対してそれぞれ傾斜された第１の摺動部と第２の摺動部を有すると共に前記第１の摺動部の光軸に対する傾斜角度が前記第２の摺動部の光軸に対する傾斜角度より小さくされ、前記沈胴状態から前記撮影状態に遷移されるときに前記カムフォロアが前記第１の摺動部を摺動されて前記第１の鏡筒が前記第２の鏡筒に対して繰り出され、前記撮影状態から前記沈胴状態に遷移されるときに前記カムフォロアが前記第２の摺動部を摺動されて前記第１の鏡筒が前記第２の鏡筒に対して繰り込まれるものである。
【手続補正３】
【補正対象書類名】明細書
【補正対象項目名】００１４
【補正方法】変更
【補正の内容】
【００１４】
これにより、沈胴状態から撮影状態に遷移されるときの時間が短縮化される。
そして、第２に、上記したレンズ鏡筒においては、前記第１の鏡筒がアクチュエーターによって光軸回り方向へ回転されることが望ましい。
これにより、撮影状態から沈胴状態に遷移されるときに必要なアクチュエーターの駆動力が沈胴状態から撮影状態に遷移されるときに必要なアクチュエーターの駆動力より低下される。
【手続補正４】
【補正対象書類名】明細書
【補正対象項目名】００１５
【補正方法】変更
【補正の内容】
【００１５】
第３に、上記したレンズ鏡筒においては、前記第１の鏡筒を前記第２の鏡筒に対して繰り出す方向へ付勢する付勢部が設けられることが望ましい。
【手続補正５】
【補正対象書類名】明細書
【補正対象項目名】００１７
【補正方法】変更
【補正の内容】
【００１７】
第４に、上記したレンズ鏡筒においては、前記付勢部としてバネ部材が用いられることが望ましい。
【手続補正６】
【補正対象書類名】明細書
【補正対象項目名】００１９
【補正方法】変更
【補正の内容】
【００１９】
第５に、上記したレンズ鏡筒においては、前記付勢部としてマグネットが用いられることが望ましい。
【手続補正７】
【補正対象書類名】明細書
【補正対象項目名】００２１
【補正方法】変更
【補正の内容】
【００２１】
第６に、上記したレンズ鏡筒においては、前記カム溝に、光軸に直交する方向へ延び前記撮影状態において前記カムフォロアが係合される撮影状態形成部が形成され、前記撮影状態形成部の中間部に前記第１の摺動部との交点が形成され、前記撮影状態形成部の一端部に前記第２の摺動部との交点が形成されることが望ましい。
【手続補正８】
【補正対象書類名】明細書
【補正対象項目名】００２３
【補正方法】変更
【補正の内容】
【００２３】
第７に、上記したレンズ鏡筒においては、前記カム溝に、光軸に直交する方向へ延び前記沈胴状態において前記カムフォロアが係合される沈胴状態形成部が形成され、前記沈胴状態形成部の中間部に前記第２の摺動部との交点が形成され、前記沈胴状態形成部の一端部に前記第１の摺動部との交点が形成されることが望ましい。
【手続補正９】
【補正対象書類名】明細書
【補正対象項目名】００２５
【補正方法】変更
【補正の内容】
【００２５】
第８に、上記したレンズ鏡筒においては、前記カム溝に、光軸に直交する方向へ延び前記撮影状態において前記カムフォロアが係合される撮影状態形成部が形成され、前記撮影状態形成部の中間部に前記第１の摺動部との交点が形成され、前記撮影状態形成部の一端部に前記第２の摺動部との交点が形成され、前記撮影状態形成部の底面における前記第１の摺動部との交点を横切る位置に溝状の案内部が形成され、前記カムフォロアに前記カム溝の深さ方向へ移動可能とされた被案内部が設けられ、前記カムフォロアが前記撮影状態形成部を前記第２の摺動部へ向けて摺動されるときに前記被案内部が前記案内部に挿入されて摺動されることが望ましい。
【手続補正１０】
【補正対象書類名】明細書
【補正対象項目名】００２７
【補正方法】変更
【補正の内容】
【００２７】
第９に、上記したレンズ鏡筒においては、前記被案内部を前記カム溝の底面に押し付ける方向へ付勢する押付バネが設けられることが望ましい。
【手続補正１１】
【補正対象書類名】明細書
【補正対象項目名】００２９
【補正方法】変更
【補正の内容】
【００２９】
第１０に、上記したレンズ鏡筒においては、前記カム溝に、光軸に直交する方向へ延び前記沈胴状態において前記カムフォロアが係合される沈胴状態形成部が形成され、前記沈胴状態形成部の中間部に前記第２の摺動部との交点が形成され、前記沈胴状態形成部の一端部に前記第１の摺動部との交点が形成され、前記沈胴状態形成部の底面における前記第２の摺動部との交点を横切る位置に溝状の案内部が形成され、前記カムフォロアに前記カム溝の深さ方向へ移動可能とされた被案内部が設けられ、前記カムフォロアが前記沈胴状態形成部を前記第１の摺動部へ向けて摺動されるときに前記被案内部が前記案内部に挿入されて摺動されることが望ましい。
【手続補正１２】
【補正対象書類名】明細書
【補正対象項目名】００３１
【補正方法】変更
【補正の内容】
【００３１】
第１１に、上記したレンズ鏡筒においては、前記被案内部を前記カム溝の底面に押し付ける方向へ付勢する押付バネが設けられることが望ましい。
【手続補正１３】
【補正対象書類名】明細書
【補正対象項目名】００３３
【補正方法】変更
【補正の内容】
【００３３】
本技術に係る撮像装置は、内部に撮影光学系が配置されたレンズ鏡筒と前記撮影光学系を介して取り込まれた光学像を電気的信号に変換する撮像素子とを備え、前記レンズ鏡筒は、光路長が最短にされた沈胴状態と前記沈胴状態より光路長が長くされた撮影状態との間で伸縮可能とされ、光軸回り方向へ回転される第１の鏡筒と、前記第１の鏡筒を光軸回り方向へ回転可能に支持すると共に光軸方向へ移動可能に支持する第２の鏡筒とを備え、前記第１の鏡筒と前記第２の鏡筒は一方にカムフォロアが設けられ他方に前記カムフォロアが摺動自在に係合されるカム溝が形成され、前記第１の鏡筒が光軸回り方向へ回転されたときに前記カムフォロアが前記カム溝を摺動されることにより前記第１の鏡筒が前記第２の鏡筒に対して光軸方向へ移動可能とされ、前記カム溝は光軸に対してそれぞれ傾斜された第１の摺動部と第２の摺動部を有すると共に前記第１の摺動部の光軸に対する傾斜角度が前記第２の摺動部の光軸に対する傾斜角度より小さくされ、前記沈胴状態から前記撮影状態に遷移されるときに前記カムフォロアが前記第１の摺動部を摺動されて前記第１の鏡筒が前記第２の鏡筒に対して繰り出され、前記撮影状態から前記沈胴状態に遷移されるときに前記カムフォロアが前記第２の摺動部を摺動されて前記第１の鏡筒が前記第２の鏡筒に対して繰り込まれるものである。
【手続補正１４】
【補正対象書類名】明細書
【補正対象項目名】００３４
【補正方法】変更
【補正の内容】
【００３４】
これにより、レンズ鏡筒において、沈胴状態から撮影状態に遷移されるときの時間が短縮化される。
【手続補正１５】
【補正対象書類名】明細書
【補正対象項目名】００３５
【補正方法】変更
【補正の内容】
【００３５】
本技術によれば、沈胴状態から撮影状態に遷移されるときの時間が短縮化される。
【手続補正１６】
【補正対象書類名】明細書
【補正対象項目名】００７８
【補正方法】変更
【補正の内容】
【００７８】
［レンズ鏡筒のズーミング時における動作］
以下に、レンズ鏡筒３のズーミング時における各部の動作について説明する（図１２乃至図２４参照）。尚、ズーミング時には撮影レンズ２３を含む複数のレンズ群のうち所定のレンズ群が図示しない機構によって光軸方向へ移動されるが、以下には、レンズ群の移動については省略する。
【手続補正１７】
【補正対象書類名】明細書
【補正対象項目名】０１３１
【補正方法】変更
【補正の内容】
【０１３１】
（１）
光路長が最短にされた沈胴状態と前記沈胴状態より光路長が長くされた撮影状態との間で伸縮可能とされ、
光軸回り方向へ回転される第１の鏡筒と、
前記第１の鏡筒を光軸回り方向へ回転可能に支持すると共に光軸方向へ移動可能に支持する第２の鏡筒とを備え、
前記第１の鏡筒と前記第２の鏡筒は一方にカムフォロアが設けられ他方に前記カムフォロアが摺動自在に係合されるカム溝が形成され、
前記第１の鏡筒が光軸回り方向へ回転されたときに前記カムフォロアが前記カム溝を摺動されることにより前記第１の鏡筒が前記第２の鏡筒に対して光軸方向へ移動可能とされ、
前記カム溝は光軸に対してそれぞれ傾斜された第１の摺動部と第２の摺動部を有すると共に前記第１の摺動部の光軸に対する傾斜角度が前記第２の摺動部の光軸に対する傾斜角度より小さくされ、
前記沈胴状態から前記撮影状態に遷移されるときに前記カムフォロアが前記第１の摺動部を摺動されて前記第１の鏡筒が前記第２の鏡筒に対して繰り出され、
前記撮影状態から前記沈胴状態に遷移されるときに前記カムフォロアが前記第２の摺動部を摺動されて前記第１の鏡筒が前記第２の鏡筒に対して繰り込まれる
レンズ鏡筒。
【手続補正１８】
【補正対象書類名】明細書
【補正対象項目名】０１３２
【補正方法】変更
【補正の内容】
【０１３２】
（２）
前記第１の鏡筒がアクチュエーターによって光軸回り方向へ回転される
前記（１）に記載のレンズ鏡筒。
（３）
前記第１の鏡筒を前記第２の鏡筒に対して繰り出す方向へ付勢する付勢部が設けられた
前記（１）又は前記（２）に記載のレンズ鏡筒。
【手続補正１９】
【補正対象書類名】明細書
【補正対象項目名】０１３３
【補正方法】変更
【補正の内容】
【０１３３】
（４）
前記付勢部としてバネ部材が用いられた
前記（３）に記載のレンズ鏡筒。
【手続補正２０】
【補正対象書類名】明細書
【補正対象項目名】０１３４
【補正方法】変更
【補正の内容】
【０１３４】
（５）
前記付勢部としてマグネットが用いられた
前記（３）に記載のレンズ鏡筒。
【手続補正２１】
【補正対象書類名】明細書
【補正対象項目名】０１３５
【補正方法】変更
【補正の内容】
【０１３５】
（６）
前記カム溝に、光軸に直交する方向へ延び前記撮影状態において前記カムフォロアが係合される撮影状態形成部が形成され、
前記撮影状態形成部の中間部に前記第１の摺動部との交点が形成され、
前記撮影状態形成部の一端部に前記第２の摺動部との交点が形成された
前記（１）から前記（５）の何れかに記載のレンズ鏡筒。
【手続補正２２】
【補正対象書類名】明細書
【補正対象項目名】０１３６
【補正方法】変更
【補正の内容】
【０１３６】
（７）
前記カム溝に、光軸に直交する方向へ延び前記沈胴状態において前記カムフォロアが係合される沈胴状態形成部が形成され、
前記沈胴状態形成部の中間部に前記第２の摺動部との交点が形成され、
前記沈胴状態形成部の一端部に前記第１の摺動部との交点が形成された
前記（１）から前記（６）の何れかに記載のレンズ鏡筒。
【手続補正２３】
【補正対象書類名】明細書
【補正対象項目名】０１３７
【補正方法】変更
【補正の内容】
【０１３７】
（８）
前記カム溝に、光軸に直交する方向へ延び前記撮影状態において前記カムフォロアが係合される撮影状態形成部が形成され、
前記撮影状態形成部の中間部に前記第１の摺動部との交点が形成され、
前記撮影状態形成部の一端部に前記第２の摺動部との交点が形成され、
前記撮影状態形成部の底面における前記第１の摺動部との交点を横切る位置に溝状の案内部が形成され、
前記カムフォロアに前記カム溝の深さ方向へ移動可能とされた被案内部が設けられ、
前記カムフォロアが前記撮影状態形成部を前記第２の摺動部へ向けて摺動されるときに前記被案内部が前記案内部に挿入されて摺動される
前記（１）から前記（７）の何れかに記載のレンズ鏡筒。
【手続補正２４】
【補正対象書類名】明細書
【補正対象項目名】０１３８
【補正方法】変更
【補正の内容】
【０１３８】
（９）
前記被案内部を前記カム溝の底面に押し付ける方向へ付勢する押付バネが設けられた
前記（８）に記載のレンズ鏡筒。
【手続補正２５】
【補正対象書類名】明細書
【補正対象項目名】０１３９
【補正方法】変更
【補正の内容】
【０１３９】
（１０）
前記カム溝に、光軸に直交する方向へ延び前記沈胴状態において前記カムフォロアが係合される沈胴状態形成部が形成され、
前記沈胴状態形成部の中間部に前記第２の摺動部との交点が形成され、
前記沈胴状態形成部の一端部に前記第１の摺動部との交点が形成され、
前記沈胴状態形成部の底面における前記第２の摺動部との交点を横切る位置に溝状の案内部が形成され、
前記カムフォロアに前記カム溝の深さ方向へ移動可能とされた被案内部が設けられ、
前記カムフォロアが前記沈胴状態形成部を前記第１の摺動部へ向けて摺動されるときに前記被案内部が前記案内部に挿入されて摺動される
前記（１）から前記（９）の何れかに記載のレンズ鏡筒。
【手続補正２６】
【補正対象書類名】明細書
【補正対象項目名】０１４０
【補正方法】変更
【補正の内容】
【０１４０】
（１１）
前記被案内部を前記カム溝の底面に押し付ける方向へ付勢する押付バネが設けられた
前記（１０）に記載のレンズ鏡筒。
【手続補正２７】
【補正対象書類名】明細書
【補正対象項目名】０１４１
【補正方法】変更
【補正の内容】
【０１４１】
（１２）
内部に撮影光学系が配置されたレンズ鏡筒と前記撮影光学系を介して取り込まれた光学像を電気的信号に変換する撮像素子とを備え、
前記レンズ鏡筒は、
光路長が最短にされた沈胴状態と前記沈胴状態より光路長が長くされた撮影状態との間で伸縮可能とされ、
光軸回り方向へ回転される第１の鏡筒と、
前記第１の鏡筒を光軸回り方向へ回転可能に支持すると共に光軸方向へ移動可能に支持する第２の鏡筒とを備え、
前記第１の鏡筒と前記第２の鏡筒は一方にカムフォロアが設けられ他方に前記カムフォロアが摺動自在に係合されるカム溝が形成され、
前記第１の鏡筒が光軸回り方向へ回転されたときに前記カムフォロアが前記カム溝を摺動されることにより前記第１の鏡筒が前記第２の鏡筒に対して光軸方向へ移動可能とされ、
前記カム溝は光軸に対してそれぞれ傾斜された第１の摺動部と第２の摺動部を有すると共に前記第１の摺動部の光軸に対する傾斜角度が前記第２の摺動部の光軸に対する傾斜角度より小さくされ、
前記沈胴状態から前記撮影状態に遷移されるときに前記カムフォロアが前記第１の摺動部を摺動されて前記第１の鏡筒が前記第２の鏡筒に対して繰り出され、
前記撮影状態から前記沈胴状態に遷移されるときに前記カムフォロアが前記第２の摺動部を摺動されて前記第１の鏡筒が前記第２の鏡筒に対して繰り込まれる
撮像装置。